(57)【要約】      （修正有）【課題】回転運動する摺動部材において、フリクション低減効果を大きくすることのできる摺動部材を提供する。【解決手段】摺動面に摺動方向と直交する軸受け幅方向の中心から端部方向へ、その深さが、中央部ほど深く端部にいくほど浅い微細な凹部４を有することを特徴とする摺動部材である。またこの摺動部材をピストン１０２のストロークを変更する制御機構が接続されている可変圧縮エンジンのクランクシャフト、特にクランクピン１０７に用いた。【選択図】            図８
2004225729.tif 000002
【特許請求の範囲】
【請求項１】
摺動面に摺動方向と直交する方向の中心から端部方向へ、深さ分布が油膜厚さ分布に応じて変化する微細な凹部を有することを特徴とする摺動部材。
【請求項２】
前記凹部の深さ分布は、中央部ほど深く、端部ほど浅いことを特徴とする請求項１記載の摺動部材。
【請求項３】
前記凹部は、前記摺動面の摺動方向と直交する方向の幅をＢとし、前記凹部を形成する範囲をＳとした場合に、少なくともＳ／Ｂ＞０．２となるように形成されていることを特徴とする請求項１または２に記載の摺動部材。
【請求項４】
前記凹部は、前記油膜厚さをｈとし、前記凹部の深さをｔとした場合に、その比ｈ／ｔが０．２〜３となる前記凹部であることを特徴とする請求項１〜３のいずれか一つに記載の摺動部材。
【請求項５】
前記摺動面は、ベース面の凹凸の最大高さが１μｍ以下、前記凹部の最大深さが０．５〜２０μｍであることを特徴とする請求項４記載の摺動部材。
【請求項６】
請求項１〜５のいずれか一つに記載の摺動部材を用いたことを特徴とする内燃機関のクランクシャフト。
【請求項７】
シリンダ内を往復動するピストンにピストンピンを介して第１コンロッドが接続され、当該第１コンロッドがコンロッド間接続ピンによって第２コンロッドと揺動可能に接続され、当該第２コンロッドがクランクシャフトとクランクピンによって回転可能に装着され、前記第２コンロッドが前記クランクピンを中心に回転位置を変更するためのコントロールロッドとコントロールロッド接続ピンにより揺動可能に接続され、当該コントロールロッドの前記第２コンロッドと接続されていない側の接続部に当該コントロールロッドを移動させて前記ピストンのストロークを変更する制御機構が接続されている可変圧縮比エンジンにおいて、
少なくとも前記クランクシャフトの前記クランクピン部分に請求項１〜５のいずれか一つに記載の摺動部材を用いたことを特徴とする可変圧縮比エンジン。
【発明の詳細な説明】
【０００１】
【発明の属する技術分野】
本発明は、摺動部材、この摺動部材を用いたクランクシャフト、およびこの摺動部材を用いた可変圧縮比エンジンに関する。
【０００２】
【従来の技術】
従来から、摺動部材における摩擦を低減するためには、摺動部材の摺動面に微細な窪み、凹面、溝などを形成することが行われている。
【０００３】
このような窪み、凹面、溝などを摺動部材に形成する従来の技術は、形成たとえば、往復摺動を行うピストン／ボアのフリクション低減を目的として、摺動面において、摺動方向に対して深さを変化させた微細な凹部を形成したものがある（例えば、特許文献１参照。）。
【０００４】
【特許文献１】
特開２００２−２３５８５２号公報
【０００５】
【発明が解決しようとする課題】
しかしながら、従来の摺動部材は、クランクシャフトなどように、回転運動する摺動条件における摺動方向と直交する方向の微細形状に関しては、凹部や窪み、溝の深さが均一であるため、接触部内の油膜厚さ分布や油膜保持能力に応じた最適化が図られておらず、低フリクションという機能が必ずしも十分に発現されないという問題があった。特にクランクシャフトでは、軸の曲げたわみが発生し、それを支えるメタル材の端部に油膜が薄い場所が存在し、深さの均一な凹凸を形成するだけでは、フリクション低減効果が限定されるだけでなく、軸受け端部での磨耗や焼き付きなどの損傷が懸念されるという問題があった。
【０００６】
そこで本発明の目的は、回転運動する摺動部材において、フリクション低減効果を大きくすることのできる摺動部材を提供することである。また、他の目的は、このようにフリクションを低減させた摺動部材を用いることで、回転部分における摩擦抵抗を少なくしたエンジンシステムを提供することである。
【０００７】
【課題を解決するための手段】
上記課題を解決するための本発明は、摺動面に摺動方向と直交する方向の中心から端部方向へ、深さ分布が油膜厚さ分布に応じて変化する微細な凹部を有することを特徴とする摺動部材である。
【０００８】
また、本発明は、上記の摺動部材を用いたことを特徴とする内燃機関のクランクシャフトである。
【０００９】
さらに、シリンダ内を移動するピストンにピストンピンを介して第１コンロッドが接続され、当該第１コンロッドがコンロッド間接続ピンによって第２コンロッドと揺動可能に接続され、当該第２コンロッドがクランクシャフトとクランクピンによって回転可能に装着され、前記第２コンロッドが前記クランクピンを中心に回転位置を変更するためのコントロールロッドとコントロールロッド接続ピンにより揺動可能に接続され、当該コントロールロッドの前記第２コンロッドと接続されていない側の接続部に当該コントロールロッドを移動させて前記ピストンのストロークを変更する制御機構が接続されている可変圧縮比エンジンにおいて、少なくとも前記クランクシャフトの前記クランクピン部分に上記摺動部材を用いたことを特徴とする可変圧縮比エンジンである。
【００１０】
【発明の効果】
本発明の摺動部材によれば、摺動面に摺動方向と直交する方向の中心から端部方向へ、深さ分布が油膜厚さ分布に応じて変化する微細な凹部を形成したことで、より多くの油を接触部に流入させることが可能となり、より広い作動条件でフリクション低減効果を発現するとともに、軸受け端部での磨耗や焼き付きなどの損傷を抑制することができる。
【００１１】
また、本発明によるクランクシャフトによれば、クランクシャフト端部で発生する磨耗や焼き付きを抑制し、摩擦係数を低減することができる。
【００１２】
さらに、本発明により可変圧縮比エンジンによれば、焼き付き性や磨耗が改善され、さらに摩擦係数が低減することにより摩擦損失を低減することができる。
【００１３】
【発明の実施の形態】
以下、図面を参照して本発明の実施の形態を説明する。
【００１４】
（第１の実施の形態）
まず、本実施の形態として本発明を適応した部材の一つであるクランクシャフト受について簡単に説明する。
【００１５】
図１はクランクシャフトの軸受け接触部における油膜厚さ分布を説明するための説明図で、図１（ａ）はクランクシャフトの一例を示す平面図であり、図１（ｂ）は軸受け接触部における油膜厚さ分布示すグラフである。図１（ｂ）のグラフにおいて、縦軸は油膜厚さ（μｍ）であり、横軸は軸受けとの接触部の幅（接触部幅）を示し、この接触部幅を０〜１として示したものである。
【００１６】
図示するように、クランクシャフト１の軸受けとの接触部２（図示円内の部分）の摺動面において、油膜厚さは、その中央部Ｓに比べて端部Ｔの方が薄い。
【００１７】
本実施の形態は、このようなクランクシャフト１の接触部２、すなわち、軸受けと接触する摺動面において、摺動方向と直交する方向の中心から端部方向へ、深さ分布がこの油膜厚さ分布に応じて変化する微細な凹部を形成したものである。
【００１８】
図２は摺動面における表面荒さを説明するための説明図であり、図２（ａ）はクランクシャフト１と軸受け接触部２の断面図、図２（ｂ）は接触部２における摺動面の平面図である。また、図３は摺動面における凹部の深さ分布の一例を示すグラフである。
【００１９】
図２（ａ）に示すように、クランクシャフト１の油膜を受ける接触部２には、この接触部２を取り巻くように軸受け３が設けられている。
【００２０】
接触部２の摺動面５には、図２（ｂ）に示すように、凹部４が形成されている。
【００２１】
この凹部４は、摺動方向と直交する方向の中心から端部方向へ、深さ分布が油膜厚さ分布に応じて変化するように形成したため、図３に示すように、軸受け幅の中央部ほど深く、端部に行くほど浅くなるように形成されている。
【００２２】
この凹部４の形成範囲は、軸受け３の全幅をＢとし、微細な凹部４の形状を有する範囲をＳとした場合に、少なくともＳ／Ｂ＞０．２の範囲であることが好ましい。この範囲以下となる場合、凹部４の形成範囲が少なくなりすぎて十分なフリクション低減が得られない。
【００２３】
また、凹部の深さは、油膜厚さをｈとし、凹部４の深さをｔとして、その比をｈ／ｔとした場合に、ｈ／ｔが０．２〜２と好ましく、具体的には、たとえば、摺動面５のベース面における凹凸の凸部の最大高さが１μｍ以下（下限値は０であるが実際には加工機械の精度限界となる）となるようにした場合に、凹部４の最大深さが０．５μｍ〜２０μｍであることが好ましい。
【００２４】
このようにｈ／ｔを０．２〜２とすることで、より広い作動条件でフリクション低減効果を発現するとともに、軸受け３端部での磨耗や焼き付きなどの損傷を抑制する。作動条件により油膜厚さが変化するために、より広い作動条件においてフリクション低減効果を発現しつつ、耐磨耗性、耐焼付き性効果を両立させることが可能となるが、この範囲を超えると、動作条件による油膜厚さの変化に対応できなくなるおそれがあるため好ましくないものである。
【００２５】
特にクランク軸では、アルミメタルのような軟質金属と鋼のような硬質金属との組み合わせで運転されるため、このような状態において、ベース面の凸部の最大高さが１μｍ以下、凹部４の最大深さを０．５μｍ〜２０μｍとすることで、金属接触を抑制し、耐磨耗性や耐焼き付き性が向上する。凸部の最大高さが１μｍを超える場合、および凹部４の最大深さが２０μｍを超える場合には、耐磨耗性や耐焼き付き性が低下するため好ましくない。また、凹部４の最大深さが０．５μｍ未満の場合には、フリクション低減効果が十分得られない。
【００２６】
また、凹部４の開口部の長さは、平均で１５〜５００μｍとしている。これは、凹部４の開口部の長さが１５μｍ未満であると、油膜の保持性能が悪化するために、金属接触が発生し好ましくない。一方、５００μｍを越えると、開口部分が広くなりすぎ、凹部への油の流入が増加して負荷容量が下がり金属接触が発生して耐焼き付き性が低下するため好ましくないものである。
【００２７】
このように、凹部４の開口部の長さを平均で１５〜５００μｍとすることで、前述の摩擦係数の低減、耐焼き付き性、耐磨耗性などの抑制を発現するだけでなく、微細形状付与による、振動の増加を抑制することができる。
【００２８】
凹部４の形状は、後述する実施例のごとく、長方形や円形などさまざまな形状が考えられる。
【００２９】
【実施例】
次に、上述のように構成された実施の形態に基づいて、実際にさまざまな凹部形状の摺動部材を製作して摩擦係数を求める実験を行った。
【００３０】
図４は、本実施例に用いた内接２円筒試験機を説明するための説明図で、図４（ａ）は実験に用いた摺動部材の構成を示す断面図、図４（ｂ）は内接２円筒試験機の回路図である。
【００３１】
実験に用いる摺動部材は、図４（ａ）に示すように、外円筒１０と内円筒２０からなる。外円筒１０は外径φ６０ｍｍの鋼製円筒１１に内径φ４５ｍｍのアルミメタル１２を圧入したものである。一方、内円筒２０は外径がφ４４．８ｍｍの鋼鉄（ＳＣＭ４４０Ｈ鋼）の焼き入れ焼き戻し材である。内円筒２０および外円筒１０の幅はともに１０ｍｍである。
【００３２】
内円筒２０および外円筒１０にはそれぞれＡＣサーボモータ（不図示）を取り付け独立に回転制御できるようにしている。そして、５Ｗ３０の油を入れた油浴内にこの内円筒２０および外円筒１０を浸すことで、内円筒２０および外円筒１０の間に油膜を形成させた。
【００３３】
実験は、ラジアル荷重５００ｋｇ、油温度８０℃、相対すべり速度０．２〜１２ｍ／ｓにおいて、平均速度を−２〜２ｍ／ｓまで変化させ、内円筒軸に取り付けたトルクセンサにより回転トルクを計測して接線力を算出し、ラジアル荷重で除することにより摩擦係数を求めた。なお、平均速度は内円筒速度をｕ１、外円筒速度ｕ２とした場合、（ｕ１＋ｕ２）／２である。同様に相対すべり速度は、（ｕ１−ｕ２）である。
【００３４】
測定した摩擦係数は、縦軸を相対すべり速度、横軸を平均速度で表したフリクションマップとして整理した。これらのフリクションマップを基に、摩擦係数の望小解析を実施した。図５はフリクションマップの一例であり、フリクションマップとは、図示するように、縦軸を相対すべり速度、横軸を平均速度で表し、このマップ上に摩擦係数を等高線図として整理したものである。このマップにより内円筒表面の接触部２においてどのような摩擦係数分布となっているかがわかる。
【００３５】
また、耐焼き付き性および耐磨耗性を評価する目的で、電気抵抗法による分離電圧の測定を実施した。分離電圧は図４（ｂ）に示す回路を作製し、運転中の外円筒１０と内円筒２０の間の抵抗変化に起因する電圧を測定することにより実施した。本回路では、完全に油膜で分離されている場合に、分離電圧が７５０ｍＶを示し、完全に接触している場合に０ｍＶを示すことになるように、抵抗Ｒ１およびＲ２の抵抗値を決めている。
【００３６】
耐焼き付き性および耐磨耗性は、この分離電圧が大きい値の方が優れることは言うまでもない。運転時の分離電圧を計測し、完全分離状態の７５０ｍＶで除した値を油膜形成率と定義し、フリクションマップと同様に油膜形成率マップとして表した。油膜形成率は、望目特性として解析を行った。図６は、この油膜形成率マップの一例を示す図面である。このマップは縦軸を相対すべり速度、横軸を平均速度で表し、マップ上に油膜形成率を等高線図として整理したものである。このマップにより内円筒表面の接触部２においてどのような油膜形成率の分布となっているかがわかる。
【００３７】
なお、図５および図６においては、１２３個のデータをまとめたものである。
【００３８】
摩擦係数は回転トルクとして望小解析を行い、油膜形成率に関しては分離電圧として望目解析を行った。望小解析、および望目解析は以下に示す式により計算した。
【００３９】
望小解析
【００４０】
【数１】
2004225729.tif 000003
【００４１】
望目特性解析
【００４２】
【数２】
2004225729.tif 000004
【００４３】
（実施例および比較例）
実施例は、いずれもφ４４．８ｍｍの内円筒表面に凹部微細形状を形成した（比較例は形成していない）。凹部微細形状は、マスクブラスト処理により形成した。すなわち、光リソグラフィ技術を利用し、樹脂製マスクに凹部微細形状を形成し、その樹脂マスクを円筒表面に貼り付けた後、平均粒径２０μｍのアルミナ砥粒を、噴射ノズルからワークまでの距離を１００ｍｍとし、投射流量１００ｇ／ｍｉｎ、投射圧０．４ＭＰａの条件下で投射し、凹部微細形状を得た。その後、凹部微細形状周辺に形成されたエッジ部の盛り上がりを粒径９μｍのテープラップフィルムにより除去し、試験に供した。なお、実施例および比較例の凹部微細形状深さはいずれのサンプルにおいても、１μｍ、面積率は５％とした。
【００４４】
実施例および比較例では、図７に示すように、微細な凹部形状パターンを形成した。
【００４５】
実施例１は、図７（ａ）に示すように、開口部の直径がφ１２０μｍのディンプルを、中央部において最大深さが２μｍとなるように、端部での深さが０．３μｍとなるように形成した。
【００４６】
実施例２は、図７（ｂ）に示すように、幅８０μｍ、長さ×３２０μｍの矩形状の溝を、中央部での最大深さを２μｍ、端部での深さが０．３μｍとなるように形成した。した。
【００４７】
実施例３は、図７（ｃ）に示すように、幅１２０μｍで、軸受け幅に渡る溝を、中央部での最大深さが２μｍ、端部での深さが０．３μｍとなるように形成した。
【００４８】
比較例は、図７（ｄ）に示すように、全面を表面粗さＲａが０．０１μｍ以下になるように、テープラップ加工を施し、鏡面に近い状態に仕上げた。
【００４９】
これら実施例および比較例における望小解析結果を表１に示す。
【００５０】
【表１】
2004225729.tif 000005
【００５１】
表１から明らかなように、本発明を適用した実施例は、いずれも比較例と比べて、低いトルクで回転可能なことを示しており、この結果から摩擦係数が低くなっていることがわかる。また、同時に測定した電気抵抗法による分離電圧も実施例の方が比較例に比べて大きな値を示しており、金属接触の割合が減少していることがわかる。なお、試験後の摺動部観察の結果からも電気抵抗法の結果と矛盾しない結果が得られた。
【００５２】
以上説明したように本発明の実施の形態によれば、クランクシャフト１の摺動面５において、油膜厚さの分布と同じく、中央が深く、端部の方が浅くなるように微細な凹部４を形成したことで、フリクション低減効果を発現するとともに、軸受け３端部での磨耗や焼き付きなどの損傷を抑制するという優れた効果をもたらす。
【００５３】
特に、軸受け３の全幅をＢとし、微細な凹部４の形状を有する範囲をＳとした場合に、少なくともＳ／Ｂ＞０．２の範囲に微細な凹部４を、中央部ほど深く端部方向に浅くなるように形成したことで、フリクション低減効果が増加する。
【００５４】
凹部４の深さを、油膜厚Ｚをｈ、凹部深さをｔとして、その比をｈ／ｔが０．２〜２となるようにしたことで、さまざまな油膜厚さに対応して、より広い作動条件でフリクション低減効果を発現するとともに、軸受け３端部での磨耗や焼き付きなどの損傷を抑制することができる。
【００５５】
さらに、摺動面５のベースの凹凸が凸面の最大高さが１μｍ以下となるようにし、凹部４の最大深さを０．５μｍ〜２０μｍとすることで、金属接触を抑制し、耐磨耗性や耐焼き付き性が向上する。
【００５６】
そして、このクランクシャフト１を内燃機関に用いることにより、クランクシャフト１端部で発生する磨耗や焼き付きを抑制し、微細形状付与なしに比べて、摩擦係数を低下できるという優れた機能が発現される。
【００５７】
すなわち、クランクシャフト１は、シリンダ内を往復動するピストンを有する内燃機関において、ピストンはピストンピンを介してアッパリンクと連結され、アッパリンクはＵＬ間接続ピンを介してロアリンクと揺動可能に連結され、クランクピンに回転可能に装着されたロアリンクと、コントロールリンクとはＬＣ間接続ピンを介して揺動可能に連結され、コントロールリンクのロアリンクとは連結されない接続点の位置を運転条件に応じて変更することにより機関圧縮比を可変制御するリンク機構を構成する。
【００５８】
このリンク機構により、通常のレシプロエンジンに比べてクランクシャフト１に対する入力が増加した場合にも、焼き付き性や磨耗が改善され、さらに摩擦係数が低減することにより摩擦損失を低減できるという優れた効果がもたらされる。
【００５９】
（第２の実施の形態）
第２の実施の形態は、前述した第１の実施の形態の摺動部材を用いた可変圧縮比エンジンである。
【００６０】
図７は可変圧縮比エンジンのクランクシャフト部分とエンジンシリンダ内部の概略断面図である。
【００６１】
この可変圧縮比エンジンは、シリンダ１０１内を往復動するピストン１０２に、ピストンピン１０３を介して第１コンロッド１０４と接続されており、この第１コンロッド１０４がコンロッド間接続ピン１０５によって第２コンロッド１０６と揺動可能に接続されている。第２コンロッド１０６は、クランクシャフト１とクランクピン１０７によって回転可能に装着されている。そして第２コンロッド１０６は、さらに、コントロールロッド１０８とコントロールロッド接続ピン１０９により揺動可能に接続され、コントロールロッド１０８の第２コンロッド１０６と接続されていない側の接続部１１０は、このコントロールロッド１０８を移動させて機関圧縮比を可変制御する制御機構（不図示）に接続されている。
【００６２】
このように構成された可変圧縮比エンジンは、コントロールロッド１０８を移動させて、第２コンロッド１０６をクランクピン１０７を中心にして回転させることで、実質的にコンロッド長（クランクピンからピストンピンまでの長さＬ）を変えてピストン１０２のストロークを変化させ、機関圧縮比を変更できるようにしている。
【００６３】
このような第１コンロッド１０４と第２コンロッド１０６の接続部であるコンロッド間接続ピン１０５の部分、第２コンロッド１０６とクランクシャフト１の接続部であるクランクピン１０７の部分、および第２コンロッド１０６とコントロールロッド１０８の接続部であるコントロールロッド接続ピン１０９の部分は、いずれも摺動部であり、この摺動部に本発明を適用した摺動部材、すなわち、摺動面に摺動方向と直交する方向の中心から端部方向へ、深さ分布が油膜厚さ分布に応じて変化する微細な凹部を形成したものである。したがって、そしてこの凹部の深さ分布は、中央部ほど深く、端部にいくほどこと浅くなっている。摺動面の摺動方向と直交する方向の幅をＢとし、凹部を形成する範囲をＳとした場合に、少なくともＳ／Ｂ＞０．２となるように凹部が形成されていることが好ましい。
【００６４】
また、凹部は、油膜厚さをｈとし、凹部の深さをｔとした場合に、その比ｈ／ｔが０．２〜３となることが好ましい。さらに摺動面は、ベース面の凹凸の最大高さが１μｍ以下、凹部の最大深さが０．５〜２０μｍであることが好ましい。
【００６５】
これにより、通常のレシプロエンジンに比べて、接続部が多くなっているために、クランクシャフトに加わる力が大きくなる可変圧縮比エンジンにおいても、クランクシャフトのクランクピン部分のほか、その他の摺動部において摩擦係数を小さくすることが可能となり、摺動部における耐焼き付き性や耐磨耗性を改善することができ、エンジンの効率を良くすることが可能となる。
【００６６】
なお、本第２の実施の形態においては、各ロッドが接続されている摺動部すべてに第１の実施の形態による摺動部材を用いたが、これに変えてクランクシャフトのみを本発明による摺動部材としてもよい。これは、可変圧縮比エンジンにおいては、上記のとおり接続部が多くなっているために、クランクシャフトに加わる力が通常のエンジンと比較して大きくなるため、このクランクシャフトのクランクピン部分の摩擦係数を下げるだけでも効率改善効果が期待できるためである。
【図面の簡単な説明】
【図１】クランクシャフトの軸受け接触部における油膜厚さ分布を説明するための説明図であり、（ａ）はクランクシャフトの一例を示す平面図、（ｂ）は軸受け接触部における油膜厚さ分布示すグラフである。
【図２】摺動面における表面荒さを説明するための説明図であり、（ａ）はクランクシャフトと軸受け接触部の断面図、（ｂ）は接触部における摺動面の平面図である。
【図３】摺動面における凹部の深さ分布の一例を示すグラフである。
【図４】内接２円筒試験機を説明するための説明図であり、（ａ）は実験に用いた摺動部材の構成を示す断面図、（ｂ）は内接２円筒試験機の回路図である。
【図５】フリクションマップの一例を示す図面である。
【図６】油膜形成率マップの一例を示す図面である。
【図７】微細な凹部形状パターンを示す図面である。
【図８】可変圧縮比エンジンのクランクシャフト部分とエンジンシリンダ内部の概略断面図である。
【符号の説明】
１  クランクシャフト
２  接触部
３  軸受け
４  凹部
１０  外円筒
１１  鋼製円筒
１２  アルミメタル
２０  内円筒
１０１  シリンダ
１０２  ピストン
１０３  ピストンピン
１０４  第１コンロッド
１０５  コンロッド間接続ピン
１０６  第２コンロッド
１０７  クランクピン
１０８  コントロールロッド
１０９  コントロールロッド接続ピン
【図１】
2004225729.tif 000006
【図２】
2004225729.tif 000007
【図３】
2004225729.tif 000008
【図４】
2004225729.tif 000009
【図５】
2004225729.tif 000010
【図６】
2004225729.tif 000011
【図７】
2004225729.tif 000012
【図８】
2004225729.tif 000013